(57)【要約】  本発明は、固形成型体、特に経口錠剤および／またはカプセルの包装および計量分配用の装置に関し、この装置は、成型体を貯蔵するのに適した、キャップによってシールされる容器、計量分配開口部、および成型体を容器の内側から計量分配開口部に前進させるための手段を有する。容器５は、それが弾性復帰力に抗してピストンのように移動できるように、ハウス１内に構築される。計量分配開口部３５はハウス１の底部２ａに設置され、装置が計量分配用に使用されないときの位置にあるとき、キャップでシールされる容器５の端部の反対側にある、一時に１つの成型体を放出するための開口部２０を有する容器５の端部部分は、計量分配開口部３５をシールすることによって開口部内に嵌合し、かつ計量分配動作の過程では一時に１つの成型体をハウス１の外側に好都合に計量分配するのを可能にするように構築される。
2009511365.tif 000002
【特許請求の範囲】
【請求項１】
固形成型体、特に経口錠剤および／またはカプセルの包装および計量分配用の装置であって、前記装置は、成型体を貯蔵するのに適した、キャップによってシールされる容器、計量分配開口部、および成型体を容器の内側から計量分配開口部に前進させるための手段を有し、容器（５）はそれが弾性復帰力に抗してピストンのように移動できるようにハウス（１）内に構築され、計量分配開口部（３５）はハウス（１）の底部（２ａ）に設置され、装置が計量分配用に使用されないときの位置にあるとき、キャップでシールされる容器（５）の端部の反対側にある、一時に１つの成型体を放出するための開口部（２０）を有する容器（５）の端部部分は、計量分配開口部（３５）をシールすることによって開口部内に嵌合し、計量分配動作の過程では一時に１つの成型体をハウス（１）の外側に好都合に計量分配するのを可能にするように開口部が構築される装置において、ハウスが計量分配開口部（３５）を含む底部（２ａ）を有する下側ハウス部分（２）とそれに連結される上側ハウス部分（３）とから成り、下側ハウス部分の上側端部は厚くされたヘッド（３６）を含み、ヘッド（３６）の下側側面は下向きに面するトレー（３７）を含み、装置が計量分配に使用されないとき、上向きに延び、容器（５）の外側表面上に設置されるシールリング（２７）がこのトレー（３７）内に嵌合し、ヘッド（３６）は弾性力によって引き起こされる容器（５）の上向き移動を制限するように設計され、かつ所与の場合には、厚くされたヘッド（３６）の上側側面には、シールテープ（７）を取り付ける目的のために挿入されるリング（１６）を収容するための溝（３８）およびショルダ（４０）が設けられ、その部品ユニットが、キャップ（４）と容器（５）との間および下側ハウス部分（２）と上側ハウス部分（３）との間にオーバーラップ継ぎ目（１２；１５）が存在するように、湿気に対しシールされる継ぎ目で互いに連結され、一方装置が計量分配に使用されないときの装置の位置では、実際的に柔軟に変形可能な材料から作られる容器（５）の外部シールリング（２７）が、トレー（３７）内にしっかりとはまり込み、かつ容器（５）の下側端部部分のシールリップ（２１）がハウス（１）の計量分配開口部（３５）内にしっかりとはまり込むことを特徴とする、装置。
【請求項２】
容器が計量分配に使用されないとき、ハウス（１）から突起する、装置の端部部分を取り巻く脱着可能なシールテープ（７）（保証テープ）が、容器（５）のカバーを形成するキャップ（４）に取り付けられることを特徴とする、請求項１に記載の装置。
【請求項３】
ばね（２２）が容器（５）に連結され、前記ばねが、ハウス（１）に、好都合にハウス（１）の底部（２ａ）に寄り掛かり、キャップ（４）が下に圧されかつ容器（５）が移動させられるとき圧され、キャップ（４）が圧力から解放されるとき容器（５）をその当初の位置に戻すことを特徴とする、請求項１または２に記載の装置。
【請求項４】
ハウス（１）内をピストンのように移動する容器（５）が、計量分配されるべき成型体の寸法に適するように決められるチャンバ（１８）の直径より大きな直径を有する、上側容器部分（１７）から開始するチャンバ（１８）を有し、前記チャンバ（１８）は、成型体を計量分配開口部（３５）へ案内するのに適しており、装置が計量分配に使用されないとき、このチャンバ（１８）の端部部分が計量分配開口部（３５）内に嵌合することを特徴とする、請求項１から３のいずれかに記載の装置。
【請求項５】
実際的に柔軟に変形可能な材料から作られるシールリップ（２１）がチャンバ（１８）の底部（１９）に沿って走り、前記シールリップ（２１）が、ハウス（１）の底部（２ａ）内に構築される計量分配開口部（３５）の横方向表面に接している−好都合に接して伸びる−ことを特徴とする、請求項４に記載の装置。
【請求項６】
計量分配開口部（３５）の横方向表面が内向きに傾斜し、一方シールリップ（２１）が外向きに傾斜し、装置の部品ユニットがキャップ（４）と容器（５）との間および下側ハウス部分（２）と上側ハウス部分（３）との間にオーバーラップ継ぎ目（１２；１５）が存在するように、湿気に対しシールされる継ぎ目で互いに連結され、一方装置が計量分配に使用されないときの装置の位置では、実際的に柔軟に変形可能な材料から作られる容器（５）の外部シールリング（２７）が、トレー（３７）内にしっかりとはまり込み、かつ容器（５）の下側端部部分のシールリップ（２１）がハウス（１）の計量分配開口部（３５）内にしっかりとはまり込むことを特徴とする、請求項５に記載の装置。
【請求項７】
底部プレート（８５ｃ）の幅（ａ）が錠剤（６）などの成型体の厚さに適合する−幅は厚さより広い−チャンバ（１８）の底部プレート（８５ｃ）の内側側面が、下向きに傾斜する案内表面（２４ａ）を形成し、その続きにやはり下向きに傾斜する曲がった案内表面（３０）が、チャンバ（１８）の底部（１９）の内部表面上に作られることを特徴とする、請求項４から６のいずれかに記載の装置。
【請求項８】
チャンバ（１８）がハウス（１）の内部表面に面する側面で開口し、この開口部（２０）が内部ハウス表面から距離（ｃ）のところにあり、前記距離（ｃ）が計量分配すべき成型体の幅より小さいことを特徴とする、請求項７に記載の装置。
【請求項９】
チャンバ（１８）の平らな傾斜する案内表面（２４ａ）とその曲がった案内表面（３０）との間に、チャンバ（１８）の開口部（２０）に向かって好都合に水平に突起する進路変更リブ（３１）が存在し、進路変更リブ（３１）の外側端部が、ハウス（１）の壁から計量分配すべき成型体の幅を超えるある距離（ｆ）のところに設置され、開口部（２０）の下側端部の反対側に、ハウス（１）の底部から、計量分配開口部（３５）の縁部から開始する、上向きにより細くなる実際的に三角形の進路変更リブ（３４）が存在することを特徴とする、請求項４から８のいずれかに記載の装置。
【請求項１０】
進路変更リブ（３４）が水平進路変更リブ（３１）の高さまで好都合に延び、それらの傾斜する進路変更表面を伴って進路変更リブ（３４）がハウス（１）の壁の内部表面上に出てくることを特徴とする、請求項９に記載の装置。
【請求項１１】
チャンバ（１８）の平らな上側案内表面（２４ａ）が、より急峻な案内表面区画を有する下側の曲がった案内表面内に走り込むことを特徴とする、請求項４から１０のいずれかに記載の装置。
【請求項１２】
チャンバ（１８）の長手方向に対して横方向に−好都合に直角に−走る、互いに横方向に間隔のあいたプレートのようなリブ（２９）が、ハウス（１）の底部（２ａ）から上向きに、実際的に装置の長手方向幾何学的中心軸（ｘ）に平行に延び、これらのリブ（２９）と同じ線内で容器（５）の壁内に、リブ（２９）の厚さを超える幅の隙間（２８）が存在し、リブ（２９）の高さが、容器が下に圧されるときリブ（２９）が容器（５）の内側に行き、中の成型体、例えば錠剤（６）を配列させることができるように決められることを特徴とする、請求項４から１１のいずれかに記載の装置。
【請求項１３】
容器（５）の上側容器部分（１７）が下向きに傾斜する壁部分（４２、４３）でチャンバ（１８）に連結され、隙間（２８）が上の容器壁内に延びるように、隙間がこれらの壁部分（４３）のうちの１つ内に設置されることを特徴とする、請求項１２に記載の装置。
【請求項１４】
チャンバ（１８）を駆動するように設計され、チャンバ（１８）の横方向壁（２５ａ、２５ｂ）に平行な計量分配開口部（３５）の反対側縁部に沿って走る垂直プレート（４６ａ、４６ｂ）が好都合に、ハウス（１）の底部（２ａ）から上向きに延びることを特徴とする、請求項４から１３のいずれかに記載の装置。
【請求項１５】
ハウス（１）および上側容器部分（１７）が円筒状形状であり、一方計量分配開口部（３５）および計量分配開口部の中に嵌合するチャンバ（１８）が長方形の横断面を有することを特徴とする、請求項１から１４のいずれかに記載の装置。
【請求項１６】
装置が成型プラスチック、好都合にポリエチレンおよび／またはポリプロピレンから作られることを特徴とする、請求項１から１５のいずれかに記載の装置。
【請求項１７】
キャップ（４）が、好都合にシリカゲル内容物を有する、乾燥剤挿入物を含むことを特徴とする、請求項１から１６のいずれかに記載の装置。
【発明の詳細な説明】
【技術分野】
【０００１】
本発明は、固形成型体、特に経口錠剤および／またはカプセルを包装および計量分配することに関する。
【背景技術】
【０００２】
現在世界中で、固形経口薬剤を流通させるために使用される最も普及している包装方法は、ブリスター包装および容器包装である。
【０００３】
一般に、ＰＶＣ／ＰＶＤＣアルミニウムから作られるブリスターシートは、サイズに応じて４〜２０個の錠剤またはカプセルを収容し、薬剤はシートから取り出され１つずつ使用され、それでブリスターシートは適切に衛生的なかつ耐抜き取り性解決策を示す。しかしながらブリスター包装も、比較的高コストレベルであること、（例えば、５０個より多い）より多くの数の錠剤の場合は多くの数のブリスターに起因して包装が大きくなりすぎること、およびある数（例えば、１００個）より多い場合は実際的ではなくかつ包装作業が通常の包装設備で行うことができないこと、それらの物質成分に起因してプラスチック包装のリサイクルが可能ではないこと、およびそれが燃やされるとき空気を汚染する塩化水素ガスが放出されること、箱から取り出されたブリスターシートの内側の錠剤の保護が解決されない（それらは押圧されるとき割れる）こと、最後に従来型のブリスター製造ラインは全ての製薬工場で使用可能なので、生成物が平凡な事実上の複生成物、生成物の模造品になることなどの、欠点も有する。
【０００４】
特にこの目的用に設計される装置を用いる、もう１つの広く使用される容器包装手順の過程では、錠剤またはカプセルはプラスチックまたはガラスまたは金属製の特別な容器内に数えて入れられ、次いでこの容器はキャップでシールされる。この方法の利点は、大量包装の場合容器が比較的安価であること、容器がそれらの内容物−薬剤−を効果的に保護すること、容器がリサイクルできるので環境に優しいことであるが、それらは以下の欠点、
−計量分配の過程でいくつかの錠剤またはカプセルが、例えば、掌内に、テーブルまたは床上に容器から同時に出てくる可能性があり、その結果容器から出てきた生成物が物理的におよび／または細菌学的に汚染される可能性があるので、衛生的な要求を満たさないこと、
−初めて容器が開口された後、空気および／または湿気との接触に起因して、生成物の化学的安定性が疑わしくなる可能性があること、
−この容器包装方法の保証シールされるバージョン（例えば、シールテープまたは特別なキャップ）は生成物の価格を上昇させること、
−これに対して保証シールなしの容器は、不正操作（再充填、抜き取り、故意のまたは偶発的な汚染、等）することができること、
−与えられた薬剤の使用者、特に年配の人々が、容器にキャップを適切に戻すことによって容器を再びシールするのにしばしば失敗し、薬剤が実際上連続的に周囲空気と接触していることが極めてしばしば起きること、を有する。
【０００５】
ドイツ国実用新案明細書第２９６０１６９３Ｕ１は、開口部を含む底部およびその中に嵌合される摺動部を伴うハウスを有する、錠剤を１つずつ計量分配するための装置を記載する。それは、頂部に動作ヘッドプレートを含み、かつ底部にばね力に抗して側面全体と共に底部開口部を通りハウスの外に押し出すことができる計量分配ヘッドを含み、その場合その中に追い込まれる錠剤は解放され、ハウスから外に落ちる。計量分配に使用されないときのその位置で、このヘッドは底部開口部を閉じる。リブおよび隙間がハウスおよび摺動部の内側にある錠剤を配列させるように設計される。
【０００６】
目標の課題に従って、動作の安全性および単純な製造を増加させることに加えて、この解決策は密封性を改善することも意図していたけれども、実際に−実際的な経験および比較測定によって実証されたように−この装置は空気および湿気の浸透に対しどちらかといえばほとんど保護をもたらさず、このことは一般に薬剤生成物に対して処方されるそのような要求を満たすのに十分ではない。この装置はシールを含まず、シールは互いの上を摺動する構造要素自体によって確保されるべきであるが、これは所望のシール効率を実現するのに必ずしも十分とは限らない。
【０００７】
この知られている装置で到達することができる動作安全性に対しては、計量分配ヘッドの閉じられた状態で、底部開口部内に嵌合するその縁部が意図的でない圧力、例えば子供によって加えられる圧力に起因して内向きに移動する可能性があり、その結果として装置が２つの部分−ハウスおよび摺動部−に分離し、その中に貯蔵される錠剤が外に落ち、それは材料の損傷のみならず明らかな危険も示す、実際に発生する状況によって疑問視される。
【発明の開示】
【発明が解決しようとする課題】
【０００８】
本発明によって解決されるべき課題は、完全に衛生的な要求を満たし、不正操作の全ての可能性をなくす、すなわちそれは耐抜き取り性があり、装置の意図しない開口のリスクを克服し、それが開口された後異なる品質または性質のどのような他の不適切な材料も容器内に充填されることを防止し、使用するのに簡単であり、環境に優しくかつその製造がコスト効率の高い、固形、特に経口錠剤および／またはカプセルの包装および計量分配用に適した装置を提供することである。さらに、現在知られている同様な解決策と比較して、本装置は、例えば保証シールが取り除かれた後の場合でさえ、計量分配の最初の機会の後比較的長い期間使用できるように、空気および湿気に対してより効率的にシールされる必要がある。
【課題を解決するための手段】
【０００９】
本発明は、錠剤／カプセルがそれらを圧すことによって容器から１つずつ取り出され、かつ製造エンジニアリングの見地から最も好都合なように、いくつかのユニットから組み立てられる容器の出口点および部品の継ぎ目部の両方が容器の内部空間から空気および湿気を完全に排除するシールされる継ぎ目を有して作り出される場合、容器包装方法の上記の利点は維持され、その欠点をなくすことができるという認識に基づいている。我々は、装置の部品の適切な形状および外観を選ぶことによって、面ファスナー（ｈｏｏｋ−ａｎｄ−ｌｏｏｐ  ｆａｓｔｎｅｒ）保証テープ−シールテープ−も、どのような追加のコストもなしで単純に適用することができることも認めた。
【００１０】
上記の認識に基づき、本発明によればこの目標の課題は、キャップによってシールされる、成型体を貯蔵するのに適した容器、計量分配開口部、および成型体を容器の内側から計量分配開口部に前進させるための手段を有する、固形成型体、特に錠剤および／またはカプセルを包装および計量分配するために適した装置によって解決された。この容器は弾性復帰力に抗してピストンのように移動できるようにハウス内に構築され、計量分配開口部はハウスの底部に設置され、装置が計量分配用に使用されないときの位置にあるとき、キャップでシールされる容器の端部の反対側にある、一時に１つの成型体を放出するための開口部を有する容器の端部部分は、計量分配開口部をシールすることによって開口部内に嵌合し、計量分配動作の過程では一時に１つの成型体をハウスの外側に好都合に供給するのを可能にするように構築される。この装置は、ハウスが計量分配開口部を含む底部を有する下側ハウス部分とそれに連結される上側ハウス部分とから成り、下側ハウス部分の上側端部は厚くされたヘッドを含み、ヘッドの下側側面は下向きに面するトレーを含み、装置が計量分配に使用されないとき、上向きに延び、容器の外側表面上に設置されるシールリングがこのトレー内に嵌合し、ヘッドは弾性力によって引き起こされる容器の上向き移動を制限するように設計され、かつ所与の場合には、厚くされたヘッドの上側側面には、シールテープを取り付ける目的のために挿入されるリングを収容するための溝およびショルダが設けられ、その部品ユニットが、キャップと容器との間および下側ハウス部分と上側ハウス部分との間にオーバーラップ継ぎ目が存在するように、湿気に対しシールされる継ぎ目で互いに連結され、一方装置が計量分配に使用されないときの装置の位置では、柔軟に変形可能な材料から作られる容器の外部シールリングがトレー内にしっかりとはまり込み、かつ容器の下側端部部分のシールリップがハウスの計量分配開口部内にしっかりとはまり込むという考えに基づいている。
【００１１】
実際的には、容器が計量分配に使用されないとき、ハウスから突起する、装置の端部部分を取り巻く脱着可能なシールテープ（保証テープ）が、容器のカバーを形成するキャップに取り付けられる。ばねが容器に連結され、そのばねがハウスに、好都合にハウスの底部に寄り掛かり、キャップが下に圧されかつ容器が移動させられるとき圧され、キャップが圧力から解放されるとき容器をその当初の位置に戻す場合は、やはり好都合である。
【００１２】
この装置の別の構築は、ハウス内をピストンのように移動する容器が、計量分配される成型体の寸法に適するように決められるチャンバの直径より大きな直径を有する、上側容器部分から開始するチャンバを有し、このチャンバは、成型体を計量分配開口部へ案内するのに適しており、装置が計量分配に使用されないとき、このチャンバの端部部分が計量分配開口部内に嵌合することを特徴とする。実際的に柔軟に変形可能な材料から作られるシールリップがチャンバの底部に沿って走り、このシールリップが、ハウスの底部内に構築される計量分配開口部の横方向表面に接している−実際に接して伸びる−場合は好都合であり、計量分配開口部の横方向表面が内向きに傾斜し、一方シールリップが外向きに傾斜している場合も好都合である。
【００１３】
別の構築例によれば、底部プレートの幅が成型体の厚さに適合する−幅は厚さより広い−チャンバの底部プレートの内側側面が、下向きに傾斜する案内表面を形成し、その続きにやはり下向きに傾斜する曲がった案内表面が、チャンバの底部の内部表面上に作られる。
【００１４】
本発明による装置の別の好都合な構築は、チャンバの平らな傾斜する案内表面とその曲がった案内表面との間に、チャンバの開口部に向かって好都合に水平に突起する進路変更リブが存在し、この進路変更リブの外側端部が、ハウスの壁から計量分配すべき成型体の幅を超えるある距離のところに設置され、開口部の下側端部の反対側に、ハウスの底部から、計量分配開口部の縁部から開始する、上向きにより細くなる実際的に三角形の進路変更リブが存在することを特徴とする。実際的には、この進路変更リブは水平の進路変更リブの高さまで延び、それらの傾斜する進路変更表面を伴ってそれらは、ハウスの壁の内部表面上に出てくる。チャンバの平らな上側案内表面が、より急峻な案内表面区画を有する下側の曲がった案内表面内に走り込む場合も、好都合である可能性がある。
【００１５】
本発明の別の特徴によれば、チャンバの長手方向に対して横方向に−好都合に直角に−走る、互いに横方向に間隔のあいたプレートのようなリブが、ハウスの底部から上向きに、実際的に装置の長手方向幾何学的中心軸に平行に延び、これらのリブと同じ線内で容器の壁内に、リブの厚さを超える幅の隙間が存在し、リブの高さは、容器が下に圧されるときリブが容器の内側に行き、中の成型体、例えば錠剤を配列させることができるように決められる。容器の上側部分が下向きに傾斜する壁部分でチャンバに連結され、隙間が上の容器壁内に延びるように、そのような壁部分に設置される場合と、かつチャンバを駆動するように設計され、チャンバの横方向壁に平行な計量分配開口部の反対側縁部に沿って走る垂直プレートが好都合にハウスの底部から上向きに延びる場合とは、やはり好都合である可能性がある。円盤形状の錠剤の場合は一般に、ハウスおよび上側容器部分は円筒状形状であることができ、一方計量分配開口部およびその中に嵌合するチャンバは長方形の横断面を有することができる。装置全体を成型プラスチック、好都合にポリエチレンおよび／またはポリプロピレンから作ることができ、キャップは例えばポリエチレンから作ることができ、ハウスおよび容器はポリプロピレンから作ることができる。キャップは、好都合にシリカゲル内容物を有する乾燥剤を含む。
【００１６】
以下に本発明を、本発明による装置および本発明のいくつかの部分的な解決策を示す添付の図面をベースに詳細に説明する。
【発明を実施するための最良の形態】
【００１７】
図１〜図４に示す本発明による装置の構築例は、全体として参照番号１で印の付けられた円筒状のハウス（本体）を有し、それは底部のところで底部２ａによって取り囲まれるより高い高さｍ１の下側ハウス部分２とより低い高さｍ２の上側ハウス部分３とを有し（図２）、それらのハウス部分は互いに湿気不浸透のオーバーラップする継ぎ目で連結される。図４に、ハウス１の長手方向幾何学的中心軸が参照符号ｘで印が付けられている。位置を示す言語「下側」および「上側」は装置の位置を呼び、図３に示すようにそれを通して錠剤６を計量分配することができる底部２ａの開口部は底部に設置され、キャップ４は間隙を介して頂部に設置されることを指摘しなければならない。
【００１８】
中心軸ｘに沿ってピストンのように前後に移動することができる円筒状の容器５はハウス内に嵌合し、その容器は、貯蔵され計量分配されるべき錠剤６を収納するように設計され、頂部のところでそれは湿気に対してシールを確実にするオーバーラップ継ぎ目を提供する−耐抜き取り性保証の−シールテープ７を有するキャップ（プラグ）４でシールされる。容器５は、キャップ４を押すことによって弾性力に抗して計量分配開口部に向かって移動させることができ、この押し力が終了するときその当初の位置に移動して戻る。後で詳細に説明するように、容器５の下側端部部分は、底部２ａの計量分配開口部内に湿気不浸透形式で嵌合される、すなわちそれは、計量分配前に装置内にある生成物に湿気が到達するのを防止する。
【００１９】
図１でこの装置は−それを流通させることができる−その当初の位置で示されており、そのとき保証テープとしても機能するリング形状のシールテープ７が装置が開けられまたは操作されるのを防止し、キャップ４の下でこのシールテープ７はハウス１から上向きにｍ３高さに延びる（図２）−錠剤６を入れるために開き、キャップ４によってのみ閉じられる−上側部分の周りを全周走り、比較的容易に取り外し可能なタブ９で、一部分では（図６も参照）キャップの縁部４ａの底部と、上側ハウス部分３の円形ショルダ１３に接している薄いリング１６とに取り付けられる。このテープは、シールテープ７の窓８のところで破ることができ、タブ９−保証フィート（ｇｕａｒａｎｔｅｅ  ｆｅｅｔ）−が破られた後、このシールテープ７は図１に示すその位置から取り外すことができる。この位置は図２に示されており、この場合図３および図４に示すハウス５の下側端部のところに設置されるシールリップ２１は、図１４にもより拡大された縮尺で示すように湿気不浸透な様式で既に述べた底部２ａの計量分配開口部内に嵌合する。キャップ４およびシールテープ７を構築し取り付ける方法が図１３により大きな縮尺で示されていることが指摘される。
【００２０】
図３は、計量分配中の装置の位置を示す。計量分配動作は、キャップ４を押し下げることによって実施され、その結果として錠剤６を収容する容器５の下側端部部分が底部２ａの外側に出てきて、錠剤６が装置から外に落ちる。キャップ４上に向けられる力を終了させることによって、既に述べた弾性力に起因して容器５は図２に示すその位置に戻り、錠剤６が外に落ちるのを防止するシールされた位置が回復される。
【００２１】
ハウス１および容器５の寸法−図２に示す高さｍ１、ｍ２、およびｍ３−は、ただ１つの単一の錠剤６のみ計量分配することができる程度まで容器５の下側端部部分がハウス１から出てくることを可能にするために、できるだけ先までキャップ４を押し下げる必要があるように決められる。
【００２２】
以下に、図４に示す装置の主要部品の構造的構築およびどのようにそれらが互いに連結されるかの方法を大縮尺の図５〜図１２を参照して詳細に説明する。
【００２３】
下側ハウス部分２は、その上側区域の周りを走るショルダ１０と外側の周りを走る低い高さのリング形状のリブおよび刻み目をその上に含むネック１１とを有し、同様なリブおよび刻み目を有する上側ハウス部分３が、図６に示すクリック動作の後に確立されるオーバーラップ継ぎ目１２によってネック１１に連結される。この図では、その継ぎ目が実際上オーバーラップ継ぎ目１２と同一である、下向きに延びるキャップ４のネックと容器５の円筒状上側容器部分１７の内側上側端部との間のオーバーラップ継ぎ目が、参照番号１５で印が付けられている（図４も参照）。互いとのリブ／刻み目かみ合いの結果として、このオーバーラップ継ぎ目１２および１５は、それらに属する構造的要素を分離させることが実際上不可能になる。リング１６は、容器を閉じるとき脱着可能なシールテープ７−保証テープ−を容器５の上に配置するのを可能にする。このリング１６に起因して、キャップ４は、タブ−保証フィート−が破られた場合のみこの組み立てられた装置から取り外すことができ、これによってこの装置は耐抜き取り性をもつようになる。
【００２４】
容器５の下側部分は、３つの側面が閉じられ、それを取り囲むハウス１の壁の内部表面に向かって開口し、中心軸ｘに直角な断面で長方形の形状である狭いチャンバ１８として構築されており、図８に示すこのチャンバの幅は、錠剤６がチャンバ１８内で動かなくなるリスクなしに、その広い横方向表面がチャンバ１８を縁取っている平行な側壁２５ａ、２５ｂと実際的に平行に駆動されるように、下向きにチャンバ１８内をゆるく移動できるように、錠剤６の厚さ−それはより広くあるべきである−に適合するように決められる（図３）。底部のところでチャンバ１８は、底部の周りを走る既に述べたシールリップ２１を有する底部１９でシールされ、一方ハウス１の壁に面するチャンバ１８の開口部２０は、錠剤６がチャンバ１８から横に移動するのを支障なく防止し、同時に錠剤６が動かなくなることなしにゆるく移動する（図１２も参照）ように、この壁の表面から図６および図８に示す距離ｂのところに設置される。底部のところで各側壁２５ａ、２５ｂは下向きに狭くなっている曲がった開口部２６で貫通される。
【００２５】
チャンバ１８の外側にそれと平行して、円筒状上側容器部分１７をチャンバ１８と連結させ、かつチャンバ１８の一部分でもある狭い傾斜する壁部分２４の外部表面から容器５に向かって開始するばね２２（図９）が存在する。この壁部分２４の内側の傾斜する案内表面２４ａは、錠剤６を支障なくチャンバ１８の下側部分内に案内するように設計される。円筒状容器部分１７から長方形の横断面を有するチャンバ１８への移行部−継ぎ表面−の形状および幾何学的関係は、特に図４、図９ａおよび図９ｂによく見ることができる。チャンバ１８は、長手方向の幾何学的中心軸ｘを横切る平面ｘ１−この第１のｘ１平面は側壁２５ａ、２５ｂの間の真ん中を走る−内に設置され（図９ｂ）、一方傾斜する案内表面２４ａおよび前者の表面の続きとして下向きに延びる曲がった案内表面３０は、それらの機能から結果として、中心軸ｘに対して偏心ｅを有する既に述べた平面ｘ１に対して直角に、平面ｘ２内に設置される（図９ａ）。明らかにハウス１の下側ハウス部分２の底部２ａ内にもまた、これに従って計量分配開口部３５が作り出される（図６および図１４を参照のこと）。図９ｂによれば、この傾斜する壁部分４２は、もう１つの傾斜する壁部分４３より距離ｃだけより高く延びる。
【００２６】
ピストンのように移動できる、容器５の幅ａの狭いチャンバ１８に対して２つの側面上で−容器の側壁２５ａ、２５ｂに対して−上から連結される（図８）、容器５の壁部分４２、４３は、容器５（図３および図１２）の上側部分内に充填される錠剤６を下向きに、より狭い案内表面２４ａおよび曲がった案内表面３０上に案内するように、図９ａおよび図４によく見ることができるように、やはり上向きに傾斜している。しかしながら、下向きに移動する錠剤６の配列を容易にするために、壁部分４３内に横方向に間隔のあいた平行な隙間２８が存在し、ハウス１の下側ハウス部分２内にその底部２ａから上向きに延び、キャップ４が下向きに押されるとき隙間２８内に摺動して入るリブ２９が存在する。この隙間２８は、容器５の上側容器部分１７の壁内に上向きに続いており、それらは頂部で、シールリング２７の下で終わる（特に図６、図９ａ、図９ｂおよび図１２参照）。リブ２９の横断面の位置および寸法は（図６、図７、図８および図１２）明らかに、容器が上下に移動するとき、隙間２８およびリブ２９が互いに対して移動するのが妨げられないことを可能にし、かつ錠剤６を案内するこの移動の効果を確実にするように決められる。
【００２７】
図６、図７および図１２に、上記で述べた平面ｘ２に平行な、下側容器部分２の底部２ａにある計量分配開口部３５の２つの縁部に沿って、短い案内プレート４６ａ、４６ｂ各々が存在し、その高さは図６および図１２に参照符号ｍ４で印が付けられているのを見ることができる。述べた図に、進路変更リブ３４の位置もよく見ることができる。
【００２８】
図６、図１１および図１２を見れば分かるように、チャンバ１８の底部１９は厚くされた底部部分を有し、その上側表面は曲がった案内表面３０を形成し、柔軟に変形可能な材料で作られるその縁部は外向きにわずかに曲がり、それらは、装置がシールされるときその計量分配開口部が底部２ａにある、内向きにわずかに曲がっている計量分配開口部の表面に嵌合することによって湿気に対するシールを確実にするシールリップ２１として機能する。開口部４１および穴４４（図１１）は、リップ２１の移動−嵌合−を容易にする。
【００２９】
図６および図１２を見れば分かるように、チャンバ１８の平らな傾斜する案内表面２４は、より急勾配の−ほとんど垂直の−短い平らな案内表面４５に下向きに続き、それはチャンバ１８の内側に向かって延びる短い、実際的に水平な進路変更リブ３１のところで終わる。錠剤６の直径の約１．５から２倍大きい高さｍ４のところで底部２ａ上を走る進路変更リブ３１の外側端部は、容器１の壁の内部表面からｆ距離のところに設置され、この進路変更リブ３１は錠剤６の下向きの移動を妨げてはならないので、その距離は明らかに錠剤６の直径より大きい。実際的にはこの曲がった案内表面３０は、進路変更リブ３１の下で開始し、この表面の反対側に、ｘ２平面の２つの側面から同じ距離のところにある、下側ハウス部分２の底部２ａ、計量分配開口部３５の外側縁部から開始し、案内プレート４６ａ、４６ｂのｍ４高さまでほぼ延びる、上記で述べたより短い高さの−進路変更リブ３１のレベルまでほぼ延びる−上向きに狭くなる２つの三角形の進路変更リブ３４が存在する。
【００３０】
図６および図１０に基づいて以下に、前の図（図６、部分Ｂ）に全体として参照番号３２で印の付けられた湿気に対してシールされた継ぎ目の説明を行い、このシールされた継ぎ目はハウス１と軸の方向に移動させることができる容器５との間に作り出される。図４に関連して述べたシールリング２７が、容器５の上側容器部分１７の外部シェル表面から上向きに、わずかに外向きに延び、装置のシールされた位置では−計量分配にそれが使用されないとき−シールリングは上側ハウス部分３の厚くされたヘッド３６の下側側面上を下向きに面するＶ字形のトレー３７内に嵌合し、その壁に対して伸ばすことによってそれはシールを確実にする。縁部３９の溝３８内に嵌合する、かつショルダ４０に接して支持する上記で述べたリング１６のこの嵌合は、図１０に特によく見ることができる。シールリング２７がトレー３７に入りその中にはまり込んだ後、容器５は最早上向きに移動することができないが、キャップ４が下向きに押されるとき自由に下向きに移動できるので、ばね力の結果として下向きに移動する容器５の見地から、ヘッド３６が移動制限要素として機能することが指摘される。それでシールリング２７は、ある高さのところで上側容器部分１７の外側側壁に沿って走り、これに従ってヘッド３６の位置は、ばね２２の力が容器５を下向きに移動させるときに、シールリング２７がトレー３７を打つとき、容器１８の下側端部部分が計量分配開口部３５内のシール位置内にまさに入るときにそれが停止するように決められる。明らかに図１０に、既に述べた構造要素は既に使用された参照番号で印が付けられている。
【００３１】
この装置は図４に示す部分から、容器５がハウス１の下側ハウス部分２内に嵌合され、次いで上側ハウス部分３が下側ハウス部分２上でクリックされるように組み立てられ、この点でシールリング２７は図１０に示すトレー３７内にはまり込む。次いで設定された量の錠剤６が容器５内に充填され、キャップ４およびシールテープ７−保証テープ−が容器５の上側端部内へクリックして入れられる。
【００３２】
この装置は−シールテープ７がキャップ４から取り除かれた後−使用者がそれを手に保持し、キャップ４を親指で押し、これによって容器５をばね２２の力に抗して下向きにピストンのように移動させ、チャンバ１８のこの下側端部部分−計量分配部分−が開口部３５を貫通してハウス１から出てきて、底部のところの錠剤６が装置から外に落ちることができるように操作される。一時にただ１つの錠剤６のみが出てくることができるように、ハウス１および容器５の寸法が決められ、装置が構築される。錠剤６が外に落ちた後、使用者は親指をキャップ４から離し、それによってばね２２はそのわずかに予備応力の掛けられた位置に戻ることが可能になり、容器５をその当初の位置に移動して戻し、そこで−上記で説明したように−容器５の内側は湿気に対して全ての継ぎ目のところで、すなわち、
−キャップと容器との間のオーバーラップ継ぎ目、
−ハウスの下側部分と上側部分との間のオーバーラップ継ぎ目、
−容器の中間部分とハウスの上側部分との間の歪の与えられたスリーブ継ぎ目、
−容器の下側計量分配端部部分とハウスの底部の長方形形状の計量分配開口部との間の歪の与えられたスリーブ継ぎ目のところで、シールされる。
【００３３】
最初の使用の前、および個々の計量分配動作の間の期間内に、湿気に対するこのシールは、装置内側の生成物を湿気によって引き起こされる可能性のあるどのような劣化からも保護し、保証の最大限の期間を提供することを可能にする。
【００３４】
ばね２２を含む、図４に示す装置の全ての主要部品は、柔軟に変形可能な性質を有する成型プラスチックから作られる（例えば、キャップはポリエチレンから、容器およびハウスはポリプロピレンから作ることができる）。ばね２２およびシールリップ２１は、容器５とワンピースで作ることができる。
【００３５】
本発明の有利な効果は以下のとおりである：
容器がピストンのように動作することができることに起因して、この装置は取り扱いが容易であり、一時にただ１つの錠剤のみ計量分配することができるので、それは便利でかつ衛生的であり、かつ他の錠剤は、例えば錠剤が撒き散らされる故に物理的にまたは細菌学的に汚染される可能性がない。容器の内側では、装置の内部構造に起因して、完全に無秩序な錠剤のセットが、錠剤がそれらの側面を装置の長手方向軸に平行に、装置から１つずつ出てくるように配列され、これは今まで円筒状容器の場合可能ではなかった。
【００３６】
知られている平らな容器では、錠剤のこの配列はそれらの容器の幾何学的構築から結果として生じるが、平らな容器と比較して円筒状容器は、例えばそれらの貯蔵容量、審美性、使用の便利さ等のいくつかの見地から決定的な利点を有する。湿気に対するこのシールによって、最初の使用の前の保証の最大限の期間を提供することが可能になる。特に湿気に対して感受性が高い生成物がこの装置内に貯蔵する必要がある場合は、適切なサイズの内部空間を有し、かつシールされた継ぎ目で容器に結合されるキャップは、シリカゲルを含有する乾燥剤挿入物と組み合わせることができる。初めて装置が開口された後−錠剤を計量分配した後も毎回−この装置は自動的に再びそれ自体を閉じ込める。ハウスと容器との間のシールリング−それは容器およびハウスが引っ張られて分離することに対する保護も確実にする−に起因して、この装置は、初めて使用された後でさえ湿気および空気に対して適切にシールされたままである。キャップの保証テープは抜き取りを防止し、すなわち耐抜き取り性があり、容器が充填された後、異なる品質または異なる性質のどのような異質の不適切な材料も容器内に入るのを防止し、かつ第２の機能として、それは包装または輸送中に起きる可能性のあるどのような予想外の動作も防止する。装置の材料は同質（ポリエチレンキャップ、ポリプロピレン容器およびハウス）であり、それでそれは環境に優しく、そのプラスチック材料は溶融によってリサイクルすることができ、または環境を汚染することなく燃焼させることもできる。この装置は円筒状チューブの審美的な形状を有する。製造は、装置をコピーするのを困難にする高水準で行うことができるが、この場合でさえ複雑な、新たなかつ高価な包装設備を必要とせず、ハウスと共に組み立てられた−予備組み立てされた−このプラスチック計量分配容器は、貯蔵し計量分配すべき生成物、例えば錠剤で簡単に充填することができ、通常のチューブ充填生成物ラインで、どのような改変もそれに加えることなしにプラスチックキャップでシールすることができる。
【００３７】
明らかに本発明は、上記で詳細に説明された構築に限定されず、特許請求の範囲によって定義される保護の範囲内でいくつかの異なる様式で実現することができる。
【図面の簡単な説明】
【００３８】
【図１】当初の位置にある、本装置の斜視図である。
【図２】計量分配のための準備完了位置にある、図１の本装置の図である。
【図３】計量分配中の、図１および図２の本装置の図である。
【図４】本装置の「分解」斜視図である。
【図５】本装置の上面図である。
【図６】図５に印の付けられた線Ａ−Ａに沿って取られた断面図である。
【図７】図４に印の付けられた線Ｅ−Ｅに沿って取られた断面図である。
【図８】図４に印の付けられた線Ｆ−Ｆに沿って取られた断面図である。
【図９ａ】図８に示す矢印Ｇの方向からの図である。
【図９ｂ】チャンバの開口部から見た本容器の図である。
【図１０】より大きな縮尺での、図６に印の付けられた部分Ｂおよびその続きにある本装置の部分の図である。
【図１１】より大きな縮尺での、図６に印の付けられた部分Ｃの図である。
【図１２】より大きな縮尺での、ハウスの内部空間の下側部分の斜視図である。
【図１３】より大きな縮尺での、キャップと共に保証テープを含むハウスの上側部分の図である。
【図１４】ハウスの底部の底面図である。
【図１】
2009511365.tif 000003
【図２】
2009511365.tif 000004
【図３】
2009511365.tif 000005
【図４】
2009511365.tif 000006
【図５】
2009511365.tif 000007
【図６】
2009511365.tif 000008
【図７】
2009511365.tif 000009
【図８】
2009511365.tif 000010
【図９ａ】
2009511365.tif 000011
【図９ｂ】
2009511365.tif 000012
【図１０】
2009511365.tif 000013
【図１１】
2009511365.tif 000014
【図１２】
2009511365.tif 000015
【図１３】
2009511365.tif 000016
【図１４】
2009511365.tif 000017
【国際調査報告】
2009511365.tif 000018
2009511365.tif 000019